【事件の表示】
　特願２００８−１７０５６１「光学部材および表示装置」拒絶査定不服審判事件〔平成２２年　１月１４日出願公開、特開２０１０−　　８８９５〕について、次のとおり審決する。
【結　論】
　本件審判の請求は、成り立たない。
【理　由】
第１　手続の経緯
　本願は、平成２０年６月３０日の出願であって、平成２４年７月３０日付けで手続補正がなされ、平成２５年２月２２日付けで拒絶査定がなされ、これに対して、同年５月３１日付けで拒絶査定不服審判が請求されると同時に手続補正がなされたものである。
　なお、請求人は、当審における平成２５年７月１９日付けの審尋に対して同年９月２４日付けで回答書を提出している。
　
第２　平成２５年５月３１日付け手続補正についての補正却下の決定
〔補正却下の決定の結論〕
　平成２５年５月３１日付け手続補正を却下する。
　
〔理由〕
１　本件補正の内容
（１）平成２５年５月３１日付け手続補正（以下「本件補正」という。）は、特許請求の範囲についてするものであって、本件補正前の請求項１に、
「表示部から隙間を空けて当該表示部の観察者側に配置され、前記表示部からの映像光を観察者側に透過させるシート状の光学部材であって、
　光を透過可能に形成された複数の光透過部と、光を吸収可能に形成され、光学部材のシート面に沿って前記光透過部と交互に並べて
配置
、
　前記光学部材の前記表示部側の表面をなす凹凸面を有した光制御層と、を備え
、
　前記光制御層は、光拡散性粒子を含まない単一の材料からなる光拡散層である
ことを特徴とする光学部材。」とあったものを、
　
「表示部から隙間を空けて当該表示部の観察者側に配置され、前記表示部からの映像光を観察者側に透過させるシート状の光学部材であって、
　光を透過可能に形成された複数の光透過部と、光を吸収可能に形成され、光学部材のシート面に沿って前記光透過部と交互に並べて
配列
、
　
前記光透過部及び前記光吸収部は、その配列方向に直交する方向に直線状に延び、
　前記光学部材の前記表示部側の表面をなす凹凸面を有した光制御層と、を備え
、
　
前記光制御層の前記凹凸面は、異方性拡散機能を有し、
　前記光制御層は、光拡散性粒子を含まない単一の材料からなる光拡散層であることを特徴とする光学部材。」とする補正を含むものである（下線は審決で付した。以下同じ。）。
　
（２）本件補正後の請求項１に係る上記（１）の補正は、本件補正前の請求項１に係る発明を特定するために必要な事項である「配置」、「光透過部及び光吸収部」及び「光制御層の凹凸面」を、それぞれ、「配列」、「その配列方向に直交する方向に直線状に延びる」及び「異方性拡散機能を有する」と限定するものである。
　
２　本件補正の目的
　本件補正後の請求項１に係る本件補正は、上記１（２）のとおり、本件補正前の請求項１に係る発明を特定するために必要な事項を限定するものであるから、特許法第１７条の２第５項第２号に掲げる特許請求の範囲の減縮を目的とするものである。
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
３　引用例
　本願の出願前に頒布された刊行物である特開２００８−９０３２４号公報（以下「引用例１」という。）には、次の事項が図とともに記載されている。
（１）「【００１８】
　また、
複数の単位レンズを一次元
方向に形成した光拡散シート
であって、単位レンズはその断面形状が略台形であり台形の下底を入光部、上底を出光部とするとともに、所定の屈折率Ｎ１を有する材料にて形成されており、隣接する単位レンズの間の断面形状三角形の部分にはＮ１より低い屈折率Ｎ２を有するとともに光吸収粒子が添加された材料により形成されていて、台形の上底の長さをＴ、高さをＨ、台形斜辺が出光部の法線となす角度をθとした場合、
ｓｉｎ（９０°−θ）＞Ｎ２／Ｎ１
Ｎ１＜１／ｓｉｎ２θ
０＜Ｈ＜Ｔ／（ｔａｎ（２θ＋１０°）−ｔａｎθ）
なる関係を有し、入光部の面はエンボス加工が施されている
光拡散シート
によれば、入光部の面はエンボス加工が施されているので、シート出光部側から入射した外光のうち、シート入光面まで達して反射される光は拡散されて、斜辺部へ大きな角度をもって入射するので、斜辺部にて全反射されることなく断面形状三角形の部分に入光し、光吸収粒子により吸収され
したがって光拡散シート
のコントラストを向上させることができ
さらに、光拡散シート
内にて出光面法線に平行な入射光は断面形状台形斜辺の表面にて全反射され、出光面においては反射を起こすことなく観察者側に出光され
また、シート内の迷光や観察者側から入射した光は光吸収粒子
により吸収され
輝度とコントラストが高い光拡散シート
【００１９】
　また、エンボス加工が施された部分の斜面が入光面とのなす角のθと同方向の成分をφ、エンボス部を形成する材料の屈折率をＮ３とするとき、
ｓｉｎ（９０°―（ｓｉｎ−１（Ｎ３＊ｓｉｎ（２φ）／Ｎ１）＋θ））＜Ｎ２／Ｎ１
なる関係を満たすエンボス加工が施された部分の面積が、入光面全体の面積の２０％以上であるように構成した場合、上記不等式を満たす条件のもとでは、出光側から出光面に対して垂直に入射した外光は、エンボス面にて反射され、光吸収粒子に吸収される。したがってこのような条件を満たすエンボス面を入光面全体の２０％以上設けることにより、コントラストの高い光拡散シート又はフィルムを構成することができる。
【００２０】
　また、入光面に施されたエンボス形状により、２０°以上拡散される光の成分が２０％以下であることとした場合には、光拡散シート又はフィルムに入光した映像光の多くが、レンズ間部分の光吸収粒子に吸収されることなく観察者側に達することができる。したがって、透過率の高い光拡散粒子を実現することができる。
【００２１】
　また、さらに上記において、
ｓｉｎ（９０°―（ｓｉｎ−１（Ｎ３／Ｎ１）＊ｓｉｎ（φ−ｓｉｎ−１（ｓｉｎφ／Ｎ３）））＋θ）＜Ｎ２／Ｎ１
なる関係を満たす条件下においては入光面に垂直に入射した映像光が光吸収粒子に吸収される。したがって、このような条件を満たすエンボス加工が施された部分の面積が、入光面全体の面積の２０％以下にコントロールすることにより、透過率の高い光拡散シート又はフィルムを提供することができる。
　また、単位レンズを板状又は膜状の透明基材上に形成した場合には、ロール状の型を使用して、配列された単位レンズを連続的に生産することができる。」
　
（２）「【００６０】
（第三実施形態及び第四実施形態）
　図１２及び図１３は、本発明の第三及び第四実施形態の光拡散シートＳ３及びＳ４の水平断面を示す図である。これらの図においては、図面右側に映像光源が配置され、図面の左側に観察者が位置している。
【００６１】
　図１２は、本発明の第三実施形態の光拡散シートＳ３を示している。この光拡散シートＳ３は、観察者側から映像光源方向に順に、拡散剤入りシート２０１、単位レンズ２０２、ベースシート２０３が張り合わされて配置され、さらにベースシート２０３の映像光源側の面にはエンボス加工が施され、エンボス部Ｅが形成されている。単位レンズ２０２は高屈折率Ｎ１を有する物質により形成されている。さらに、隣接する単位レンズ２０２、２０２にはさまれた断面形状三角形の部分（以下において「
レンズ間部分２０７
エンボス部Ｅ
【００６２】
　本実施形態においては、高屈折率部（単位レンズ２０２）の屈折率Ｎ１と、透明低屈折率物質２０６の屈折率Ｎ２と、エンボス部Ｅの形状及び屈折率Ｎ３は、光拡散シートＳ３の光学特性を得るために所定の関係を有するように設定されている。また、レンズ間部分２０７と高屈折率部（単位レンズ２０２）とが接する斜辺が、出光面の法線（当該光拡散シートＳ３に対する垂直入射光に平行である。）となす角度は所定の角度θに形成されている。
【００６３】
　高屈折率部（単位レンズ２０２）は通常、電離放射線硬化性を有するエポキシアクリレートなどの材料にて構成されている。また、透明低屈折率物質２０６として通常、電離放射線硬化性を有するウレタンアクリレートなどの材料が使用されている。光吸収粒子２０５は市販の着色樹脂微粒子が使用可能である。また、拡散剤入りシート２０１、及びベースシート２０３は、高屈折率部（単位レンズ２０２）と略同一の屈折率を有する材料にて構成されている。拡散剤入りシート２０１の観察者側には、反射防止層、ハードコート層、偏光フィルター層、帯電防止層、防眩処理層、防汚処理層、タッチセンサ層などの機能層が適宜設けられている。
【００６４】
　次に光拡散シートＳ３の単位レンズ２０２内に入光した光の光路について、図１２を参照しつつ簡単に説明する。なお、図１２において、光Ｌ２１〜Ｌ２４の光路は模式的に示されたものである。いま、図１２において、
映像光源側から単位レンズ２０２の中央部付近に入射した垂直映像光Ｌ２１は、そのまま光拡散シートＳ３の内部を直進して通過し、観察者に至る
映像光源側から単位レンズ２０２の端部付近に入射した垂直映像光Ｌ２２は、高屈折率部（単位レンズ２０２）と透明低屈折率物質２０６との屈折率差により斜辺にて全反射され、所定の角度をもって観察者側に出光され
エンボス部Ｅの映像光源側内面にて反射され、比較的大きな角度を持って、レンズ間部分２０７に達する
【００６５】
　図１３は、本発明の第四実施形態の光拡散シートＳ４を示している。この光拡散シートＳ４も、観察者側から映像光源方向に順に、拡散剤入りシート２０１、単位レンズ２０２、ベースシート２０３が張り合わされて配置され、さらにベースシート２０３の映像光源側の面にはエンボス加工が施され、エンボス部Ｅが形成されている。単位レンズ２０２は高屈折率Ｎ１を有する物質により形成されている。さらに、隣接する単位レンズ２０２、２０２、の斜辺には、Ｎ１より小さな屈折率Ｎ２を備え透明な物質により形成された層２０４（以下「透明低屈折率層２０４」という。）が形成されている。また隣接する単位レンズ２０２の間に挟まれた断面形状三角形の部分は、Ｎ２より高い屈折率を有する物質２０８中に光吸収粒子２０５が添加された材料で埋められている。以後の説明においてはこの断面形状三角形の部分を「レンズ間部分２０９」という。エンボス部Ｅは屈折率Ｎ３を有する物質にて形成されている。
【００６６】
　高屈折率部（単位レンズ２０２）の屈折率Ｎ１と、透明低屈折率層２０４の屈折率Ｎ２と、エンボス部Ｅの形状及び屈折率Ｎ３は、光拡散シートＳ４の光学特性を得るために所定の関係を有するように設定されている。また、透明低屈折率層２０４と高屈折率部（単位レンズ２０２）とが接する斜辺が、出光面の法線（当該光拡散シートＳ４に対する垂直入射光に平行である。）となす角度は所定の角度θに形成されている。これらについては後に詳述する。
【００６７】
　高屈折率部（単位レンズ２０２）は通常、電離放射線硬化性を有するエポキシアクリレートなどの材料にて構成されている。また、透明低屈折率層２０４は、シリカ等透明樹脂の屈折率より低い屈折率を有する材料にて形成されている。光吸収粒子２０５は市販の着色樹脂微粒子が使用可能である。また、拡散剤入りシート２０１、及びベースシート２０３は、高屈折率部（単位レンズ２０２）と略同一の屈折率を有する材料にて構成されている。拡散剤入りシート２０１の観察者側には、反射防止層、ハードコート層、偏光フィルター層、帯電防止層、防眩処理層、防汚処理層、タッチセンサ層などの機能層が適宜設けられている。
【００６８】
　次に光拡散シートＳ４の単位レンズ２０２内に入光した光の光路について、図１３を参照しつつ簡単に説明する。なお、図１３においても、光Ｌ２１〜Ｌ２４の光路は模式的に示されたものである。図１３において、映像光源側から単位レンズ２０２の中央部付近に入射した垂直映像光Ｌ２１は、そのまま光拡散シートＳ４の内部を直進して通過し、観察者に至る。
【００６９】
　映像光源側から単位レンズ２０２の端部付近に入射した垂直映像光Ｌ２２は、
高屈折率部（単位レンズ２０２）と透明低屈折率層２０４との屈折率差により斜辺にて全反射され、所定の角度をもって観察者側に出光される。映像光源側から単位レンズ２０２の端部付近に角度をもって入射した映像光Ｌ２３は、斜辺にて全反射され、入射時とは反対方向にさらに大きな角度をもって観察者側に出光される。斜辺に所定以上の大きな角度をもって入射する迷光Ｌ２４ａは、高屈折率部（単位レンズ２０２）と低屈折率部（透明低屈折率層２０４）との屈折率差によっても反射されることなく透明低屈折率層２０４の内部に入光する。迷光Ｌ２４ａはレンズ間部分２０９の光吸収粒子２０５に吸収され、観察者側に至ることはない。また、観察者側からレンズ間部分２０９に入光した迷光Ｌ２４ｂも、光吸収粒子２０５に吸収され、観察者側に反射光となって、出光されることがない。さらに観察者側から垂直に単位レンズの出光面開口方向入射した光Ｌ２４ｃは拡散剤入りシート２０１、単位レンズ２０２、及びベースシート２０３を透過後エンボス部Ｅの映像光源側内面にて反射され、比較的大きな角度を持って、レンズ間部分２０７に達する。したがってこの光はレンズ間部分２０７表面では反射されることなく、レンズ間部分２０７に入光し、光吸収粒子２０５により吸収される。このようにして水平方向に広い視野角をもち、コントラスト、輝度の高い光拡散シートＳ４を得ることができる。
…略…
【００７３】
　なお、第一実施形態及び第二実施形態において、図３〜図５についてした説明は、第三実施形態及び第四実施形態にも適用される。
【００７４】
　次に図１４を参照しつつ、出光面側から光拡散シートに垂直に入射しエンボス部Ｅにて反射された光Ｌ２８が、レンズ間部分２０７により吸収される条件について説明する。図１４においては、図面左側が観察者側、図面右側が映像光源側として表されている。なお、説明のためにエンボス部Ｅが誇張して描かれており、拡散剤入りシート２０1及びベースシート２０３は省略されている。
【００７５】
　出光面側から光拡散シートＳ３内に入射した垂直光Ｌ２８は、エンボス部Ｅの映像光源側内面のＡ点にて反射され、エンボス部Ｅと単位レンズ２０２との界面を点Ｂで横切り、点Ｃでレンズ間部分２０７に達している。ここにエンボス部断面が単位レンズ２０２との界面となす角度をφ、反射された光Ｌ２８が光拡散シート内にて出光面法線となす角度をαとする。Ａ点において反射された光Ｌ２８がエンボス部内Ｂ点において出光面法線となす角度は２φであるから、スネルの法則により、
（式９）　Ｎ１ｓｉｎα＝Ｎ３ｓｉｎ２φ
が成り立つ。また、Ｃ点において、光Ｌ２８がレンズ間部分２０７の斜面の法線となす角度βは
（９０°−α−θ）であるから、Ｃ点において、臨界条件下におけるスネルの法則は、
Ｎ２ｓｉｎ９０°＝Ｎ１ｓｉｎβ
にて表される。すなわち
（式１０）　Ｎ２＝Ｎ１ｓｉｎ（９０°−α−θ）
式９及び１０から
（式１１）　ｓｉｎ（０°−（ｓｉｎ−１（Ｎ３＊ｓｉｎ（２φ）／Ｎ１＋θ）））＝Ｎ２／Ｎ１
したがって、光Ｌ２８がレンズ間部分２０７に入射し得る条件は、
（式１２）　ｓｉｎ（９０°−（ｓｉｎ−１（Ｎ３＊ｓｉｎ（２φ）／Ｎ１＋θ）））＜Ｎ２／Ｎ１
にて表される。
【００７６】
　式１２の条件を満たすエンボス部Ｅの面積が多いほど、出光面側から入射した外光がレンズ間部分２０７の光吸収粒子２０５により吸収される割合が多くなる。この結果、光拡散シートのコントラストを高くすることができる。本願発明者の知見によれば、このような条件を満たすエンボス部Ｅの面積を、入光面全体の面積の２０％以上とすれば、良好なコントラストを備えた光拡散シートを得ることができることが判明している。
…略…
【００８６】
　図１９は、エンボス部Ｅの断面形状の例を示すものである。これらの図からも明らかなように
エンボス部Ｅの断面形状は、三角形
…略…
【実施例２】
【００９２】
単位レンズを構成する高屈折率部（単位レンズ２０２、台形部分）の材料としてエポキシアクリレート、レンズ間部分２０７の透明低屈折率樹脂としてウレタンアクリレート、光吸収粒子として、大日精化工業（株）製「ラブコロール」（登録商標）を使用した。「ラブコロール」の平均粒径は８μｍで、添加量を４１質量％とした。
【００９３】
　
高屈折率部（単位レンズ２０２）の屈折率は１．５５、レンズ間部分２０７の屈折率は１．４８であった。このように構成したシートの入光側にフレネルレンズシートを、観察者側には拡散板を配置した。
高屈折率部（単位レンズ２０２）のレンズピッチは５０μｍとした。また、高屈折率部（単位レンズ２０２）の台形部分の上底長さと、低屈折率部の三角形底辺の長さを等しくなるようにし、いわゆるブラックストライプ率が５０％となるようにし
さらに頂角θを１０°に、エンボス部Ｅのピッチ６μｍ、断面形状を頂角１６０°の二等辺三角形に設定した
【００９４】
　このように構成した光拡散シートは、
透過率が８５％、反射率が５％、ゲインが４であった。また、垂直視野角（半値角：ある方向から観視したときの輝度が正面から観視したときの半分になる角度)は１２゜、水平視野角(半値角）は３０゜であった
【００９５】
　また、
エンボス部Ｅによって映像光は約５°の拡散角となり、シート内部では、約３°の角度となった。スクリーンに垂直に入射した外光のうち、エンボス部映像光源側内面での反射光は、約２０度の角度を持って反射され、ブラックストライプ部に到達して吸収され
【実施例３】
【００９６】
単位レンズ２０２を構成する高屈折率部（台形部分）の材料としてエポキシアクリレート、レンズ間部分２０７の透明低屈折率樹脂としてウレタンアクリレート、光吸収粒子とし
て、大日精化工業（株）製「ラブコロール」（登録商標）を使用した。「ラブコロール」の平均粒径は５μｍで、添加量を４１質量％とした。
【００９７】
　高屈折率部（単位レンズ２０２）の屈折率は１．５５、レンズ間部分２０７の屈折率は１．４８であった。このように構成したシートの入光側にフレネルレンズシートを、観察者側には拡散板を配置した。拡散板は、アクリル製単層構造で、拡散剤を混入したものを使用した。高屈折率部のレンズピッチは６０μｍとした。また、高屈折率部（単位レンズ２０２）の台形部分の上底長さと、低屈折率部の三角形底辺の長さをブラックストライプ率が４５％となるように調製した。さらにレンズ間部分２０７の斜辺が出光面法線となす角度を観察者側で１０°、映像光源側で８°に設定した。また、エンボス部Ｅは、底角１０°の等脚台形断面形状とし（図１９（ｄ）参照）、ピッチ７μｍ、頂部は1μｍ長さの平坦部とした。
【００９８】
　このように構成した光拡散シートは、透過率が８３％、反射率が５．２％、ゲインが４．５であった。また、垂直視野角（半値角）は１２゜、水平視野角（半値角）は２５゜であった。
[比較例１]
【００９９】
　実施例２の光拡散シートで、エンボス部Ｅを省略して評価した。このように構成した光拡散シートは、透過率が８４％、反射率が７．５％、ゲインが２．７であった。また、垂直視野角（半値角）は１５゜、水平視野角（半値角）は３０゜であった。
【０１００】
　以上の結果から、エンボス部Ｅがない場合には、拡散剤入りシート２０１の拡散量を多くとるように構成しないと、水平拡散の特性が維持できないことが判明した。」
　
（３）「【０１０１】
　図２２は、本発明にかかる二次元視野拡大部材を備えた表示装置の構成を示している。図２２において、紙面手前左下方向が観察者側であり、紙面奥側右上方向を映像光源側とする。本発明の
表示装置
観察者側から順に、
機能性シート３０１と、単位レンズが垂直方向に配列された光拡散シート３０２と、単位レンズが水平方向に配列された光拡散シート３０３と、フレネルレンズ３０４と、液晶ディスプレイパネル３０５とを備えている
　
（４）上記（１）ないし（３）から、引用例１には次の発明が記載されているものと認められる。
「観察者側から順に、機能性シートと、単位レンズが垂直方向に配列された光拡散シートと、単位レンズが水平方向に配列された光拡散シートと、フレネルレンズと、液晶ディスプレイパネルとを備えている表示装置に用いられる、複数の単位レンズを一次元方向に形成した光拡散シートにおいて、
　前記単位レンズは、その断面形状が略台形であり台形の下底を入光部、上底を出光部とするとともに、所定の屈折率Ｎ１を有する材料にて形成されており、
　隣接する単位レンズの間の断面形状三角形のレンズ間部分はＮ１より低い屈折率Ｎ２を有するとともに光吸収粒子が添加された材料により形成されていて、
　前記単位レンズの、台形の上底の長さをＴ、高さをＨ、台形斜辺が出光部の法線となす角度をθとした場合、
ｓｉｎ（９０°−θ）＞Ｎ２／Ｎ１
Ｎ１＜１／ｓｉｎ２θ
０＜Ｈ＜Ｔ／（ｔａｎ（２θ＋１０°）−ｔａｎθ）
なる関係を有し、
　入光部の面にエンボス加工を施しエンボス部を形成することにより、シート出光部側から入射した外光のうちシート入光面まで達した光をエンボス部の映像光源側内面にて反射させて拡散し、斜辺部へ大きな角度をもって入射するようにして斜辺部にて全反射されることなく断面形状三角形のレンズ間部分に入光させ光吸収粒子により吸収されるようにしてコントラストを向上させ、
　さらに、映像光源側から単位レンズの中央部付近に入射した垂直映像光はそのまま光拡散シートの内部を直進して通過し観察者に至り、映像光源側から単位レンズの端部付近に入射した垂直映像光は高屈折率部である単位レンズと透明低屈折率物質との屈折率差により断面形状台形斜辺の表面にて全反射されて出光面においては反射を起こすことなく所定の角度をもって観察者側に出光されるようにし、
　また、シート内の迷光や観察者側から入射した光は光吸収粒子により吸収されるようにして、
　輝度とコントラストを高くし、
　例えば、高屈折率部である単位レンズの屈折率を１．５５、レンズ間部分の屈折率を１．４８にし、入光側にフレネルレンズシートを、観察者側に拡散板を配置し、単位レンズのレンズピッチを５０μｍにし、単位レンズの台形部分の上底長さと、低屈折率部であるレンズ間部分の三角形底辺の長さとが等しくなるようにし、いわゆるブラックストライプ率が５０％となるようにし、さらにθを１０°に、エンボス部のピッチを６μｍに、エンボス部の断面形状を頂角１６０°の二等辺三角形に設定したところ、透過率が８５％、反射率が５％、ゲインが４であり、また、垂直視野角（半値角：ある方向から観視したときの輝度が正面から観視したときの半分になる角度）が１２゜、水平視野角（半値角）が３０゜になり、エンボス部によって映像光は約５°の拡散角となり、シート内部では、約３°の角度となり、垂直に入射した外光のうちエンボス部映像光源側内面での反射光は、約２０度の角度を持って反射され、レンズ間部分であるブラックストライプ部に到達して吸収された、光拡散シート。」（以下「引用発明１」という。）
　
４　対比
　本願補正発明と引用発明１とを対比する。
（１）引用発明１の「『液晶ディスプレイパネル』、『映像光源』」、「観察者側」、「映像光」、「光拡散シート」、「『単位レンズ』、『高屈折率部』」、「『光吸収粒子が添加された材料により形成されてい』る『レンズ間部分』」、「『一次元方向に形成』した『複数の単位レンズ』及び『隣接する単位レンズの間の断面形状三角形のレンズ間部分』」、「『エンボス加工を施』した『入光部の面』」及び「『エンボス加工』を施し『断面形状を頂角１６０°の二等辺三角形に設定』した『エンボス部』を形成した『入光部の面』」は、それぞれ、本願補正発明の「表示部」、「観察者側」、「映像光」、「シート状の光学部材」、「光透過部」、「光吸収部」、「光学機能層」、「前記光学部材の前記表示部側の表面をなす凹凸面を有した光制御層」及び「凹凸面」に相当する。
　
（２）引用発明１において、「シート状の光学部材（光拡散シート）」は、「観察者側」から順に、機能性シートと、「光透過部（単位レンズ）」が垂直方向に配列された「シート状の光学部材」と、「光透過部」が水平方向に配列された「シート状の光学部材」と、フレネルレンズと、「表示部（液晶ディスプレイパネル）」とを備えている表示装置に用いられるものであり、「表示部（映像光源）」側から「光透過部」の中央部付近に入射した垂直「映像光」はそのまま「シート状の光学部材」の内部を直進して通過し観察者に至り、「表示部（映像光源）」側から「光透過部」の端部付近に入射した垂直「映像光」は高屈折率部である「光透過部」と透明低屈折率物質との屈折率差により断面形状台形斜辺の表面にて全反射されて出光面においては反射を起こすことなく所定の角度をもって観察者側に出光されるようにしたものであるから、引用発明１の「シート状の光学部材」と本願補正発明の「シート状の光学部材」とは「表示部の観察者側に配置され、前記表示部からの映像光を観察者側に透過させる」点で一致し、引用発明１の「光透過部」と本願補正発明の「光透過部」とは「光を透過可能に形成された複数の」ものである点で一致する。
　
（３）引用発明１の「光吸収部（レンズ間部分）」は、隣接する「光透過部（単位レンズ）」の間の光吸収粒子が添加された材料により形成されている断面形状三角形の部分であり、かつ、シート内の迷光や観察者側から入射した光を光吸収粒子により吸収する部分であるから、本願補正発明の「光吸収部」と、「光を吸収可能に形成され、光学部材のシート面に沿って前記光透過部と交互に並べて配列された複数の」ものである点で一致する。
　
（４）引用発明１の「光学機能層」は、上記（１）に照らせば、一次元方向に形成した複数の「光透過部（単位レンズ）」及び隣接する「光透過部」の間の断面形状三角形の「光吸収部（レンズ間部分）」からなるものであるから、上記（２）及び（３）からみて、本願補正発明の「光学機能層」と、「光を透過可能に形成された複数の光透過部と、光を吸収可能に形成され、光学部材のシート面に沿って前記光透過部と交互に並べて配列された複数の光吸収部と、を有する」点で一致し、引用発明１の「光学機能層」は、例えば、一次元方向に形成した複数の「光透過部」のレンズピッチを５０μｍにし、「光透過部」の台形部分の上底長さと、低屈折率部である「光吸収部」の三角形底辺の長さとが等しくなるようにし、いわゆるブラックストライプ率が５０％となるようにし、「光吸収部」を「ブラックストライプ部」にしたものであるから、引用発明１の「光透過部」及び「光吸収部」と、本願補正発明の「光透過部」及び「光吸収部」とは、「その配列方向に直交する方向に直線状に延び」る点で一致するといえる。
　
（５）上記（１）に照らせば、引用発明１の「光学部材（光拡散シート）」は、「前記光学部材の前記表示部側の表面をなす凹凸面を有した光制御層（エンボス加工を施した入光部の面）」を備えており、本願補正発明の「凹凸面」には、引用発明１の「エンボス加工を施し断面形状を頂角１６０°の二等辺三角形に設定したエンボス部を形成した入光部の面」が相当するから、引用発明１の「光学部材」と本願補正発明の「光学部材」とは、「前記光学部材の前記表示部側の表面をなす凹凸面を有した光制御層を備え、前記光制御層の前記凹凸面は、異方性拡散機能を有し、前記光制御層は、光拡散性粒子を含まない単一の材料からなる光拡散層である」点で一致するといえる。
　
（６）上記（１）ないし（５）からみて、本願補正発明と引用発明１とは、
「表示部の観察者側に配置され、前記表示部からの映像光を観察者側に透過させるシート状の光学部材であって、
　光を透過可能に形成された複数の光透過部と、光を吸収可能に形成され、光学部材のシート面に沿って前記光透過部と交互に並べて配列された複数の光吸収部と、を有する光学機能層と、　
　前記光透過部及び前記光吸収部は、その配列方向に直交する方向に直線状に延び、　
　前記光学部材の前記表示部側の表面をなす凹凸面を有した光制御層と、を備え、　
　前記光制御層の前記凹凸面は、異方性拡散機能を有し、　
　前記光制御層は、光拡散性粒子を含まない単一の材料からなる光拡散層である、光学部材。」の点で一致し、次の点で相違する
　
相違点１：
　表示部の観察者側に配置される前記シート状の光学部材が、
　本願補正発明では、表示部から隙間を空けて配置されるのに対して、
　引用発明１では、フレネルレンズを介しているが隙間を空けては配置されていない点。
　
５　判断
　上記相違点１について検討する。
（１）コントラスト比を向上させるフィルターは、表示装置のパネルアセンブリの前面基板に接触させて配置することも離間して配置することもできることは、本願の出願前に周知である（以下「周知事項」という。例．特開２００６−３１３３６０号公報（【００７７】参照。）特開２００７−２９８９９６号公報（【００７３】参照。）、原査定で引用された特開２００８−３６１６号公報（【００７７】参照。）、特開２００８−４６６４２号公報（【００２６】参照。））。
　
（２）上記（１）からみて、引用発明１において、液晶ディスプレイパネルから隙間を空けて光拡散シートを配置すること、すなわち、引用発明１において上記相違点１に係る本願補正発明の構成となすことは、当業者が周知事項に基づいて適宜なし得た程度のことである。
　
（３）本願補正発明の奏する効果は、当業者が引用発明１の奏する効果及び周知事項から予測することができた程度のものである。
　
（４）したがって、本願補正発明は、当業者が引用例に記載された発明及び周知事項に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明について
１　本願発明
　本件補正は上記第２のとおり却下されたので、本願の請求項１ないし１１に係る発明は、平成２４年７月３０日付けで補正された特許請求の範囲の請求項１ないし１１に記載された事項によって特定されるものであるところ、請求項１に係る発明（以下「本願発明」という。）は、平成２４年７月３０日付けで補正された明細書、特許請求の範囲及び図面の記載からみて、上記「第２〔理由〕１（１）」に本件補正前の請求項１として記載したとおりのものと認める。
　
２　引用例
　原査定の拒絶の理由に引用された「本願の出願前に頒布された刊行物である特開２００８−３６１６号公報（以下「引用例２」という。）」には、次の事項が図とともに記載されている。
（１）「【００２４】
図２は、本発明の一実施形態によるＰＤＰフィルタの断面図であって、図３は、図２に示したＰＤＰフィルタに使われる外光遮蔽層を示す斜視図である。
【００２５】
　図２及び図３に示すように、本実施形態によるＰＤＰフィルタ２００は、
透明基板２１０及び多様な遮蔽機能を有した層から形成されたフィルタベース２７０と、外光遮蔽層２３０とを含む
【００２６】
　ここで、フィルタベース２７０は、透明基板２１０、反射防止層２５０または電磁波遮蔽層２２０が順序に関係なく積層されて形成される。以下、本実施形態では電磁波遮蔽機能、反射防止機能を有する層がそれぞれ別個の層として分離して説明するが、本発明はこれに限られるのではない。すなわち、フィルタベース２７０は一つ、またはそれ以上の層から構成されることができ、各層は電磁波遮蔽機能、反射防止機能またはこれらを組み合わせた機能を有することができる。また、フィルタベース２７０は、先に言及した電磁波遮蔽機能、反射防止機能またはこれらを組み合わせた機能をすべて有することもでき、このうちいずれか一つの機能のみを有することもできる。
【００２７】
　そして、
フィルタベース２７０の一面には、外光遮蔽層２３０が配置される
パネルアセンブリ方向の面、すなわち、ＰＤＰフィルタ２００がＰＤＰ装置に装着されたときに、視聴者方向と反対側面に
【００２８】
　図２及び図３を参照すると、外光遮蔽層２３０は、
支持体２３２、支持体２３２の一面に形成された基材２３４及び基材２３４内に形成されて外部からパネルアセンブリに流入する外部環境光３２０を遮断する遮光パターン２３６を含む
遮光パターン２３６は、一定の周期で相互に離隔されて配置された複数のくさび型の黒いストライプで構成され
【００２９】
　ここで、遮光パターン２３６が形成された基材２３４は、直接、フィルタベース２７０に形成することができるが、図２に示したように支持体２３２に基材２３４を形成した後に、フィルタベース２７０と結合することもできる。支持体２３２は、遮光パターン２３６が形成された基材２３４を支持する役割を果たす。図２に示したＰＤＰフィルタ２００では、基材２３４とフィルタベース２７０の一面とを、支持体２３２を媒介して結合しているが、本発明はこれに限定するものではない。すなわち、支持体２３２は、基材２３４を支持する役割を目的とするため、外光遮蔽層２３０がフィルタベース２７０の他の面に配置される場合、基材２３４とフィルタベース２７０とを直接、結合することもできる。
【００３０】
　本実施形態において、支持体２３２は紫外線透過性を有する透明な樹脂フィルムを用いることが望ましい。支持体２３２の材質は、例えば、ポリエチレンテレフタレート（ＰＥＴ）、ポリカーボネート（ＰＣ）、ポリ塩化ビニル（ＰＶＣ）等を用いることができる。もちろん、支持体２３２にはフィルタの固有機能を持った膜、例えば反射防止層２５０、色補正層２４０または電磁波遮蔽層２２０などを用いることもできる。
【００３１】
　そして、遮光パターン２３６は、断面がくさび形状を有しており、パネルアセンブリ１３０（図１参照）に対向する基材２３４の一面に一定の周期で複数の黒いストライプパターンが相互に離隔されて形成されており、外部環境光３２０がパネルアセンブリ内部に入射することを防止する役割を果たす。
【００３２】
　基材２３４は、紫外線硬化性樹脂で形成され、遮光パターン２３６は光を吸収することができる黒色無機物及び／または有機物、金属等で形成することができる。特に金属の場合には電気伝導度が大きく、すなわち電気抵抗が低いため、金属粉末を添加して遮光パターン２３６を形成した場合、金属粉末の濃度によって電気抵抗の調節が可能であるため、遮光パターン２３６は電磁波遮蔽機能を担うこともできる。
これにより、表面が黒く処理された、または黒色の金属を用いた場合、外光遮蔽機能及び電磁波遮蔽機能を効率的に具現することができる。また、遮光パターン２３６としては炭素を含む紫外線硬化性樹脂を用いることもできる。」
　
（２）「【００３８】
　本実施形態のＰＤＰフィルタ２００は、黒色色素を含む色補正フィルムを用いる代わりに、光を吸収する遮光パターン２３６を用いる。ここで、遮光パターン２３６はパネルアセンブリ１３０から放出される入射光３１０を一部吸収して、白色光及び黒色光の輝度を所定量、抑制することによってコントラスト比を高める役割をする。また、前記した式（１）によれば、コントラスト比は反射光の輝度に対する関数であるが、反射光とは外部環境光３２０がパネルアセンブリに入射した後、反射された光を含んでいる。ここで
外部環境光３２０は、直接、遮光パターン２３６に吸収されたり、パネルアセンブリ１３０に反射されても、再び遮光パターン２３６に吸収されるため、反射光の輝度を低下させることができ
【００３９】
　基材２３４の一面に対して、遮光パターン２３６の底面が占める面積比率が、２０−５０％である場合、最小の透過量損失で良好なコントラスト比を得ることができる。さらに望ましくは、基材２３４の一面に対して、遮光パターン２３６の底面が占める面積比率が、２５−３５％である場合、もっとも優れた効果を得ることができる。このような外光遮蔽層２３０を含むＰＤＰフィルタ２００を用いたＰＤＰ装置１００の場合、可視光線に対する透過率を５０％以上に維持した状態で２５０：１以上のコントラスト比を得ることができる。
【００４０】
　一方、
外光遮蔽層２３０は、それ自体が可視光線波長帯で７０％以上の透過率を有
パネルアセンブリ１３０からの入射光３１０は、外光遮蔽層２３０に対してほとんど垂直方向に入射することになり、このうち、入射光３１０の一部は遮光パターン２３６に吸収されるが、大部分の入射光３１０は、基材２３４をそのまま透過するためＰＤＰ装置１００の透過率を高める
【００４１】
　一方、パネルアセンブリ（図４Ａの６００参照）の放電セル（図４Ａの６６０参照）の周期的パターンと、外光遮蔽層２３０の遮光パターン２３６の周期的パターンとにより、モアレ縞が発生することがある。モアレ縞とは２個以上の周期的なパターンが重なる場合に発生する干渉縞を示す。このような放電セルと外光遮蔽層との間の干渉現象によるモアレ縞の発生を防止するために、図３に示したように、遮光パターン２３６の延長線と、基材２３４の長辺とが所定の角度を有して交差するように配置する。ここで、効果的にモアレ縞の発生を防止するためには、遮光パターン２３６の延長線と基材２３４の長辺が成す交差角で定義されるバイアス角αが約５〜８０度であることが望ましい。」
　
（３）「【００６７】
　以上、本発明の一実施形態によるＰＤＰフィルタ２００を説明した。
　以下、図４Ａ及び図４Ｂを参照して、前記したＰＤＰフィルタ２００を利用したＰＤＰ装置を説明する。図４Ａは本発明の一実施形態によるＰＤＰ装置を示した分解斜視図である。また、図４Ｂは、図４Ａに示したＰＤＰ装置を、Ｂ−Ｂ’に沿って切断した断面図である。
【００６８】
　図４Ａ及び図４Ｂに示すように、本実施形態によるＰＤＰ装置は、ＰＤＰフィルタ２００及びパネルアセンブリ６００を含む。ＰＤＰフィルタ２００の構成については、前記の説明と同様であるため、その説明を省略する。
　以下、パネルアセンブリ６００について詳細に説明する。
…（略）…
【００７６】
　以下、図４Ｂを参照して、パネルアセンブリ６００とＰＤＰフィルタ２００との関係を説明する。
【００７７】
　図４Ｂに示したように、
ＰＤＰフィルタ２００は、パネルアセンブリ６００の前面基板６１０上部に
前面基板６１０と離隔して配置する
また、パネルアセンブリ６００とＰＤＰフィルタ２００との間に異物が流入することを防止したり、ＰＤＰフィルタ２００自身の強度を補強するために、図４Ｂに示したように前面基板６１０と接着剤または粘着剤６９０で結合して接触させて配置することもできる。
【００７８】
　ＰＤＰフィルタ２００には、
外部環境光が、パネルアセンブリ６００内に流入することを防止するために外光遮蔽層２３０が形成されている。外部環境光は、主に外光遮蔽層２３０により吸収されて、外部環境光が前面基板６１０を透過して再反射されることを防止できる。したがって、明室条件で、ＰＤＰ装置のコントラスト比を向上させることができ
【００７９】
　ここで、
遮光パターン２３６のピッチＰ２は、パネルアセンブリ６００に形成された放電セル６６０（またはピクセル）のピッチＰ１より小さい
１つの放電セル６６０に、複数の遮光パターン２３６を配置することによって、入射光を均一に分散させることができて、効率的に外部環境光を吸収することができ
【００８０】
　また、
パネルアセンブリ６００の放電セル６６０の周期的パターンと、外光遮蔽層２３０の遮光パターン２３６の周期的パターンとによりモアレ縞が発生することがある。このようなモアレ縞を防止するために遮光パターン２３６のピッチＰ２は、約７０−１１０μｍであることが望ましい。
【００８１】
　以上、本発明の一実施形態として、
くさび型の黒いストライプ状の遮光パターン２３６が形成された外光遮蔽層２３０
【００８２】
　図５Ａないし図５Ｅに示したように、このような外光遮蔽層（４３０ａ、４３０ｂ、４３０ｃ、４３０ｄ、４３０ｅ）によると、多様な形状の遮光パターン（４３６ａ、４３６ｂ、４３６ｃ、４３６ｄ、４３６ｅ）を利用して外部環境光を吸収して、外部環境光がパネルアセンブリに入射することを防いで、パネルアセンブリからの入射光を視聴者側に反射することによって、可視光線に対する高い透過率と高いコントラスト比とを得ることができる。
　このような遮光パターンとしては、図５Ａに示したウエッジ−ブラックマトリックス（wedge-black matrix）型遮光パターン４３６ａと、図５Ｂに示したウエッジ−ブラックウェーブ（wedge-black wave）型遮光パターン４３６ｂと、図５Ｃに示したフラット−ブラックストライプ（flat-black stripe）型遮光パターン４３６ｃと、図５Ｄに示したフラット−ブラックマトリックス（flat-black matrix）型遮光パターン４３６ｄと、図５Ｅに示したフラット−ブラックウェーブ（flat-black wave）型遮光パターン４３６ｅを例に挙げることができる。
モアレ現象を防止するために、このような遮光パターン（４３６ａ、４３６ｂ、４３６ｃ、４３６ｄまたは４３６ｅ）を、基材２３４の長辺に対して約５〜８０度のバイアス角αを有するように形成する
　
（４）「【００９４】
　次に、図７Ａ及び図７Ｂを参照して、本発明のさらに他の実施形態によるＰＤＰフィルタについて説明する。
　図７Ａは、本実施形態によるＰＤＰフィルタを示す断面図であって、図７Ｂは、図７Ａに示したＰＤＰフィルタを用いたＰＤＰ装置を示した断面図である。説明の便宜上、前記した実施形態の各部材と同様の機能を有する部材は同一の符号で示して、その説明は省略する。本実施形態によるＰＤＰフィルタは、図７Ａ及び図７Ｂに示したように、前記した実施形態と次の事項を除いて基本的に同等の構造を有する。
【００９５】
　すなわち、図７Ａ及び図７Ｂに示したように、ＰＤＰフィルタ７００は、
モアレ縞及びニュートンリングの発生を防止するための拡散層７１０を含む
外光遮蔽層２３０の遮光パターン２３６または電磁波遮蔽層２２０のメッシュパターンのような周期的なパターンが、パネルアセンブリ６００の前面基板６１０に反射される場合に、元パターンと反射光によるパターンとの間の相互干渉によりモアレ現象が発生したり、ＰＤＰフィルタ７００とこれに結合されるパネルアセンブリ６００の前面基板６１０との間の離隔距離が不均一な場合にニュートンリング現象が発生したりすることがある
拡散層７１０は、このような反射光によるパターンを拡散させることによって、元パターンと反射光によるパターンとの干渉現象が発生しなくなることで、モアレ現象及びニュートンリング現象を防止する
　
拡散層７１０は、パネルアセンブリ６００に近いＰＤＰフィルタ７００の一面に形成する
【００９６】
　
拡散層７１０は、アンチ−グレア処理された表面を有するフィルムで構成され
エンボシングによる粗面化処理方法
を利用してフィルムの表面に微細な凹凸構造を形成する工程である
　
（５）上記（１）ないし（４）から、引用例２には次の発明が記載されているものと認められる。
「透明基板２１０及び多様な遮蔽機能を有した層から形成されたフィルタベースを含み、パネルアセンブリの前面基板上部に該前面基板と離隔して配置することができるＰＤＰフィルタであって、
　前記フィルタベースの一面、すなわち、パネルアセンブリ方向の面であり、ＰＤＰフィルタがＰＤＰ装置に装着されたときに前記フィルタベースの視聴者方向と反対側面には、外部環境光がパネルアセンブリ内に流入することを防止するために、支持体２３２、支持体２３２の一面に形成された基材２３４及び基材２３４内に形成されて外部からパネルアセンブリに流入する外部環境光を遮断する遮光パターンを含む外光遮蔽層が形成されており、該遮光パターンは、一定の周期で相互に離隔されて配置された複数のくさび型の黒いストライプで構成されており、
　該外光遮蔽層は、それ自体が可視光線波長帯で７０％以上の透過率を有し、パネルアセンブリからの入射光の一部は遮光パターンに吸収されるが、大部分の入射光は、遮光パターン以外の基材２３４をそのまま透過するためＰＤＰ装置の透過率を高めることができ、外部環境光は、直接遮光パターンに吸収されたり、パネルアセンブリに反射されても再び遮光パターンに吸収されるため、主に外光遮蔽層により吸収されて前面基板を透過して再反射されることを防止できるので、反射光の輝度を低下させることができ、明室条件で、ＰＤＰ装置のコントラスト比を向上させることができ、
　前記遮光パターンのピッチＰ２を、パネルアセンブリに形成された放電セルまたはピクセルのピッチＰ１より小さくし、１つの放電セルに、複数の遮光パターンを配置することによって、入射光を均一に分散させることができて、効率的に外部環境光を吸収することができ、
　パネルアセンブリの放電セルの周期的パターンと、外光遮蔽層の遮光パターンの周期的パターンとにより発生することがあるモアレ縞を防止するために、遮光パターンのピッチＰ２は約７０−１１０μｍであり、遮光パターンを、基材の長辺に対して約５〜８０度のバイアス角αを有するように形成し、
　外光遮蔽層の遮光パターンまたは電磁波遮蔽層のメッシュパターンのような周期的なパターンが、パネルアセンブリの前面基板に反射される場合に、元パターンと反射光によるパターンとの間の相互干渉によりモアレ現象が発生したり、ＰＤＰフィルタとこれに結合されるパネルアセンブリの前面基板との間の離隔距離が不均一な場合にニュートンリング現象が発生したりすることがあるので、パネルアセンブリに近いＰＤＰフィルタの一面に拡散層を形成し、このような反射光によるパターンを拡散させることによって、元パターンと反射光によるパターンとの干渉現象が発生しないようにしてモアレ現象及びニュートンリング現象を防止し、
　前記拡散層を、エンボシングによる粗面化処理方法を利用してフィルムの表面に微細な凹凸構造を形成する工程でアンチ−グレア処理した表面を有するフィルムで構成した、
　ＰＤＰフィルタ。」（以下「引用発明２」という。）
　
３　対比・判断
　本願発明と引用発明２とを対比する。
（１）引用発明２の「パネルアセンブリ」、「離隔して」、「視聴者方向」、「パネルアセンブリからの入射光」、「ＰＤＰフィルタ」、「遮光パターン以外の基材２３４」、「『くさび型の黒いストライプで構成』されている『遮光パターン』」、「外光遮蔽層」、「『パネルアセンブリに近いＰＤＰフィルタの一面』に形成した、『エンボシングによる粗面化処理方法を利用してフィルムの表面に微細な凹凸構造を形成する工程でアンチ−グレア処理した表面を有するフィルム』で構成した『拡散層』」、「フィルムの表面に微細な凹凸構造を形成する工程でアンチ−グレア処理した表面」及び「『エンボシングによる粗面化処理方法を利用してフィルムの表面に微細な凹凸構造を形成する工程でアンチ−グレア処理した表面を有するフィルム』で構成した『拡散層』」は、それぞれ、本願発明の「表示部」、「隙間を空けて」、「観察者側」、「表示部からの映像光」、「シート状の光学部材」、「光透過部」、「光吸収部」、「光学機能層」、「前記光学部材の前記表示部側の表面をなす凹凸面を有した光制御層」、「凹凸面」及び「光拡散性粒子を含まない単一の材料からなる光拡散層」に相当する。
　
（２）引用発明２において、「シート状の光学部材（ＰＤＰフィルタ）」は、「表示部（パネルアセンブリ）」の前面基板上部に該前面基板と「隙間を空け（離隔し）」て配置することができるものであり、「光学部材」のフィルタベースの「表示部」方向の面は、「光学部材」がＰＤＰ装置に装着されたときに前記フィルタベースの「観察者側（視聴者方向）」と反対側面であるから、「光学部材」は、ＰＤＰ装置の「表示部」の前面基板の「観察者側」に前面基板と「隙間を空け」て配置されるように装着されるものである。
　したがって、引用発明２の「シート状の光学部材」と本願発明の「シート状の光学部材」とは「表示部から隙間を空けて当該表示部の観察者側に配置され」る点で一致する。
　
（３）引用発明２の「シート状の光学部材（ＰＤＰフィルタ）」は、フィルタベースの一面に、支持体２３２、支持体２３２の一面に形成された基材２３４及び基材２３４内に形成されて外部から「表示部（パネルアセンブリ）」に流入する外部環境光を遮断する「光吸収部（遮光パターン）」を含む「光学機能層（外光遮蔽層）」が形成されたものであり、該「光学機能層」は、それ自体が可視光線波長帯で７０％以上の透過率を有し、「表示部からの映像光（パネルアセンブリからの入射光）」の一部は「光吸収部」に吸収されるが、大部分の「映像光」は、「光透過部（遮光パターン以外の基材２３４）」をそのまま透過するためＰＤＰ装置の透過率を高めることができるものであるから、本願発明の「シート状の光学部材」と、「表示部からの映像光を観察者側に透過させる」点で一致する。また、引用発明２において、基材２３４内に形成されている「光吸収部」は、一定の周期で相互に離隔されて配置された複数のくさび型の黒いストライプで構成されているから、遮光パターン以外の基材２３４からなる「光透過部」も一定の周期で相互に離隔されて配置されていることになり、引用発明２の「光学機能層」と本願発明の「光学機能層」とは「光を透過可能に形成された複数の光透過部と、光を吸収可能に形成され、光学部材のシート面に沿って前記光透過部と交互に並べて配置された複数の光吸収部と、を有する」点で一致する。
　
（４）引用発明２は、「表示部（パネルアセンブリ）」に近い「シート状の光学部材（ＰＤＰフィルタ）」の一面に「光制御層（拡散層）」を形成し、反射光によるパターンを拡散させることによって、元パターンと反射光によるパターンとの干渉現象が発生しないようにしてモアレ現象及びニュートンリング現象を防止し、前記「光制御層」を、エンボシングによる粗面化処理方法を利用してフィルムの表面に微細な凹凸構造を形成する工程でアンチ−グレア処理した表面を有するフィルムで構成したものであるから、上記（１）に照らせば、引用発明２の「光制御層」と本願発明の「光制御層」とは「前記光学部材の前記表示部側の表面をなす凹凸面を有した」点、及び、「光拡散性粒子を含まない単一の材料からなる光拡散層である」点で一致する。
　
（５）上記（１）ないし（４）からして、本願発明と引用発明２とは、
「表示部から隙間を空けて当該表示部の観察者側に配置され、前記表示部からの映像光を観察者側に透過させるシート状の光学部材であって、
　光を透過可能に形成された複数の光透過部と、光を吸収可能に形成され、光学部材のシート面に沿って前記光透過部と交互に並べて配置された複数の光吸収部と、を有する光学機能層と、　
　前記光学部材の前記表示部側の表面をなす凹凸面を有した光制御層と、を備え、　
　前記光制御層は、光拡散性粒子を含まない単一の材料からなる光拡散層である、
　光学部材。」である点で一致し、相違するところはない。
　したがって、本願発明は引用発明２と同一の発明であり、引用例２に記載された発明である。
　
４　むすび
　本願発明は、以上のとおり、刊行物に記載された発明であるから、特許法第２９条第１項第３号に該当し特許を受けることができない。
　よって、結論のとおり審決する。